(57)【要約】【課題】表示手段の表示面の前方への厚みの増大、大型化を防止し、データの波形品質の劣化やノイズの増大を抑制する。【解決手段】表示装置モジュール２は、光配線モジュール３２の光受信部２９をＦＰＣ３０に取り付け、取付け位置にてＦＰＣ３０と接続し、ＦＰＣ３０の端部を、表示パネル用基板２２の上面に配置し、導電層を介して表示パネル用基板２２と接続する。【選択図】図１
2013109109.tif 000002
【特許請求の範囲】
【請求項１】
上面に表示パネルが設けられる表示パネル用基板と、
電気信号を光信号に変換する光送信部、光伝送媒体、および光信号を電気信号に変換する光受信部を有し、前記表示パネル用基板に供給される表示パネル用データを、前記光送信部から前記光受信部へ前記光伝送媒体を介して光により伝送する光配線モジュールとを備えている表示装置モジュールにおいて、
前記光受信部は導電性を有する配線用部材に取り付けられ、かつ前記配線用部材への取付け位置において前記配線用部材と電気的に接続され、
前記配線用部材の前記表示パネル用基板側の端部は、前記表示パネル用基板の上面に配置され、導電層を介して前記表示パネル用基板と電気的に接続されていることを特徴とする表示装置モジュール。
【請求項２】
前記配線用部材は、前記表示パネル用基板と接続される位置から前記表示パネル用基板の下面に回り込む方向に延びる延設部を有し、
前記光受信部は、前記延設部に取り付けられていることを特徴とする請求項１に記載の表示装置モジュール。
【請求項３】
前記光受信部は、下面が前記延設部に取り付けられ、上面が前記表示パネル用基板の下面に固定されていることを特徴とする請求項２に記載の表示装置モジュール。
【請求項４】
前記配線用部材は、前記表示パネル用基板と接続された位置から前記表示パネル用基板の上面よりも下面方向に下がった低位置延設部を有し、
前記光受信部は、上面の高さが前記表示パネル用基板に設けられる表示パネルの表示面の高さよりも低くなるように、下面が前記低位置延設部に取り付けられていることを特徴とする請求項１に記載の表示装置モジュール。
【請求項５】
前記配線用部材は、フレキシブルプリント配線基板からなり、前記フレキシブルプリント配線基板における前記光受信部が取り付けられている面の反対側の面における前記光受信部の取付け領域に対応する領域には、補強部材が設けられていることを特徴とする請求項１から４のいずれか１項に記載の表示装置モジュール。
【請求項６】
前記配線用部材は、フレキシブルプリント配線基板からなり、前記フレキシブルプリント配線基板における前記光受信部が取り付けられている面の反対側の面における前記光受信部の取付け領域に対応する領域には、金属部材が設けられていることを特徴とする請求項１から４のいずれか１項に記載の表示装置モジュール。
【請求項７】
前記金属部材の一部は、前記フレキシブルプリント配線基板に接着されず、前記フレキシブルプリント配線基板の前記光受信部の位置から前記表示パネル用基板に向う方向に拡張されている拡張部を有することを特徴とする請求項６に記載の表示装置モジュール。
【請求項８】
請求項１から７のいずれか１項に記載の表示装置モジュールを備えたことを特徴とする電子機器。
【発明の詳細な説明】
【技術分野】
【０００１】
本発明は液晶ディスプレイモジュールや有機ＥＬディスプレイモジュール等の表示装置モジュールおよび表示装置モジュールを備えた電子機器に関する。
【背景技術】
【０００２】
近年、例えば、携帯電話等の表示装置を備えた電子機器においては、表示の高精細化、および高性能化の進展が著しい。これに伴って、電子機器内では、データ伝送量が増大し、データ伝送速度が高速化している。
【０００３】
このように、データ伝送量が増大し、データ伝送速度が高速化した場合には、伝送されるデータの波形品質の劣化やノイズの増大が問題となる。このような高速伝送の問題に対応する上では、電気伝送経路の接続点、例えばＢｔｏＢ（Board to Board）接続やＺＩＦ（Zero Insertion Force socket）接続を少なくすること、およびインピーダンス均衡な配線長とすることが理想的である。
【０００４】
しかしながら、ＦＰＣ（Flexible Printed Circuits）を使用して電気伝送によりデータ伝送を行う構成では、電気伝送経路の接続点を少なくするにも限度がある。また、ＦＰＣには厚みや曲げ半径の制約があるため、波形品質の劣化を防止するのは困難であった。
【０００５】
そこで、上記の問題を解決するために、電子機器内において、データ伝送を光伝送により行うことが、例えば特許文献１および特許文献２において提案されている。
【０００６】
特許文献１に記載の電子機器（携帯電話）では、第１の筐体に第１の回路基板部が設けられ、第２の筐体に第２の回路基板部が設けられている。第１の回路基板部に設けられた第１の送受信部と、第２の回路基板部に設けられた第２の送受信部とは、光導波路からなるフィルム状配線により接続されている。さらに、例えば第１の筐体には表示手段が設けられている。
【０００７】
また、特許文献２に記載の携帯機器では、第１のサブボードに設けられた受光素子と、第２のサブボードに設けられた発光素子とが、光導波路フィルムによって接続されることにより、光導波モジュールが構成されている。この光導波路モジュールは、第１のサブボードが表示部を備える第１のメインボード上に電気コネクタを介して設けられ、第２のサブボードがキー操作部を備える第２のメインボード上に電気コネクタを介して設けられている。これにより、光導波路モジュールにより、第１のメインボードと第２のメインボードとが接続されている。
【先行技術文献】
【特許文献】
【０００８】
【特許文献１】特開２０１１−８２７６５号公報（２０１１年４月２１日公開）
【特許文献２】特開２００６−４２３０７号公報（２００６年２月９日公開）
【発明の概要】
【発明が解決しようとする課題】
【０００９】
しかしながら、特許文献１の構成では、データ伝送において光伝送が行われるのは、第１の回路基板部と第２の回路基板部との間のみである。すなわち、表示手段方向への第１の送受信部以降における高速信号のデータ伝送は、電気伝送により、第１の送受信部側のコネクタ、第１の回路基板部、第１の回路基板部に設けられた表示手段への接続用のコネクタ、ＦＰＣおよび表示手段の経路にて行われる。このため、データの電気伝送経路において多数の接続点が存在し、データの波形品質の劣化やノイズの増大を十分に抑制することができないという問題点を有している。このような問題は、特許文献２の構成においても同様である。
【００１０】
また、データの電気伝送経路において接続点の数を減少させるために、光伝送モジュールの光受信部（特許文献１では第１の送受信部）を表示手段における表示部の周りの額縁部に配置することが考えられる。しかしながら、単に、光受信部を表示手段の額縁部に配置する構成では、表示手段における表示面の前方への厚みが大きくなること、および表示手段の額縁部の幅が大きくなり表示手段が大型化することなど、別の問題を招来することになる。
【００１１】
したがって、本発明は、表示手段における表示面の前方への厚みの増大、および表示手段の大型化を招来することなく、データの波形品質の劣化やノイズの増大を十分に抑制することができる表示装置モジュールおよび電子機器の提供を目的としている。
【課題を解決するための手段】
【００１２】
本発明の表示装置モジュールは、上面に表示パネルが設けられる表示パネル用基板と、
電気信号を光信号に変換する光送信部、光伝送媒体、および光信号を電気信号に変換する光受信部を有し、前記表示パネル用基板に供給される表示パネル用データを、前記光送信部から前記光受信部へ前記光伝送媒体を介して光により伝送する光配線モジュールとを備えている表示装置モジュールにおいて、前記光受信部は導電性を有する配線用部材に取り付けられ、かつ前記配線用部材への取付け位置において前記配線用部材と電気的に接続され、前記配線用部材の前記表示パネル用基板側の端部は、前記表示パネル用基板の上面に配置され、導電層を介して前記表示パネル用基板と電気的に接続されているとを特徴としている。
【００１３】
上記の構成によれば、前記光受信部は導電性を有する配線用部材に取り付けられ、かつ前記配線用部材への取付け位置において前記配線用部材と電気的に接続され、前記配線用部材の前記表示パネル用基板側の端部は、前記表示パネル用基板の上面に配置され、導電層を介して前記表示パネル用基板と電気的に接続されている。
【００１４】
したがって、光受信部を表示パネル用基板における配線用部材との接続位置の近傍に配置し、表示パネル用データを電気伝送する配線用部材の長さを短くすることができる。また、光受信部は配線用部材に取り付けられ、かつ配線用部材への取付け位置において配線用部材と接続されていること、および配線用部材の表示パネル用基板側の端部は、表示パネル用基板の上面に配置され、導電層を介して表示パネル用基板と接続されていることから、コネクタ類を省略し、表示パネル用データの電気伝送経路において、接続点を少なくすることができる。これにより、データ量が多量の表示パネル用データを高速伝送した場合であっても、データの波形品質の劣化やノイズの増大を十分に抑制することができる。
【００１５】
また、光受信部が配線用部材に取り付けられ、かつ配線用部材への取付け位置において配線用部材と接続されていることから、光受信部を表示パネル用基板に取り付ける必要がなく、表示パネルの表示面の前方への厚みの増大、および表示パネル用基板の大型化を防止することができる。
【００１６】
上記の表示装置モジュールにおいて、前記配線用部材は、前記表示パネル用基板と接続される位置から前記表示パネル用基板の下面に回り込む方向に延びる延設部を有し、前記光受信部は、前記延設部に取り付けられている構成としてもよい。
【００１７】
上記の構成によれば、光受信部は、表示パネル用基板と接続される位置から表示パネル用基板の下面に回り込む方向に延びる延設部に取り付けられているので、表示パネルの表示面の前方への厚みの増大、および表示パネル用基板の大型化を確実に防止することができる。
【００１８】
上記の表示装置モジュールにおいて、前記光受信部は、下面が前記延設部に取り付けられ、上面が前記表示パネル用基板の下面に固定されている構成としてもよい。
【００１９】
上記の構成によれば、光受信部は、下面が延設部に取り付けられ、上面が表示パネル用基板の下面に固定されているので、表示パネル用基板の下面において、安定に固定することができる。
【００２０】
上記の表示装置モジュールにおいて、前記配線用部材は、前記表示パネル用基板と接続された位置から前記表示パネル用基板の上面よりも下面方向に下がった低位置延設部を有し、前記光受信部は、上面の高さが前記表示パネル用基板に設けられる表示パネルの表示面の高さよりも低くなるように、下面が前記低位置延設部に取り付けられている構成としてもよい。
【００２１】
上記の構成によれば、光受信部は、配線用部材における、表示パネル用基板と接続された位置から表示パネル用基板の上面よりも下面方向に下がった低位置延設部において、上面の高さが表示パネルの表示面の高さよりも低くなるように、下面が低位置延設部に取り付けられている。
【００２２】
これにより、表示パネルの表示面の前方への厚みの増大、および表示パネル用基板の大型化を確実に防止することができる。
【００２３】
上記の表示装置モジュールにおいて、  前記配線用部材は、フレキシブルプリント配線基板からなり、前記フレキシブルプリント配線基板における前記光受信部が取り付けられている面の反対側の面における前記光受信部の取付け領域に対応する領域には、補強部材が設けられている構成としてもよい。
【００２４】
上記の構成によれば、配線用部材として扱いが容易かつ自由度が高いフレキシブルプリント配線基板を使用した場合であっても、補強部材により、フレキシブルプリント配線基板と光受信部との接続不良の発生を確実に防止することができる。
【００２５】
上記の表示装置モジュールにおいて、前記配線用部材は、フレキシブルプリント配線基板からなり、前記フレキシブルプリント配線基板における前記光受信部が取り付けられている面の反対側の面における前記光受信部の取付け領域に対応する領域には、金属部材が設けられている構成としてもよい。
【００２６】
上記の構成によれば、金属部材によりフレキシブルプリント配線基板と光受信部から輻射されるノイズを遮蔽し、ノイズが他の電子部品に悪影響を及ぼす事態を抑制することができる。
【００２７】
上記の表示装置モジュールにおいて、前記金属部材の一部は、前記フレキシブルプリント配線基板に接着されず、前記フレキシブルプリント配線基板の前記光受信部の位置から前記表示パネル用基板に向う方向に拡張されている拡張部を有する構成としてもよい。
【００２８】
上記の構成によれば、金属部材の一部は、フレキシブルプリント配線基板に接着されず、かつフレキシブルプリント配線基板の光受信部の位置から表示パネル用基板に向う方向に拡張されている拡張部を有しているので、この拡張部によって、フレキシブルプリント配線基板と光受信部から輻射されるノイズをさらに確実に遮蔽し、ノイズが他の電子部品に悪影響を及ぼす事態をさらに抑制することができる。
【発明の効果】
【００２９】
本発明の構成によれば、光受信部を表示パネル用基板における配線用部材との接続位置の近傍に配置し、表示パネル用データを電気伝送する配線用部材の長さを短くすることができる。また、光受信部は配線用部材に取り付けられ、かつ配線用部材への取付け位置において配線用部材と接続されていること、および配線用部材の表示パネル用基板側の端部は、表示パネル用基板の上面に配置され、導電層を介して表示パネル用基板と接続されていることから、コネクタ類を省略し、表示パネル用データの電気伝送経路において、接続点を少なくすることができる。これにより、データ量が多量の表示パネル用データを高速伝送した場合であっても、データの波形品質の劣化やノイズの増大を十分に抑制することができる。
【００３０】
また、光受信部が配線用部材に取り付けられ、かつ配線用部材への取付け位置において配線用部材と接続されていることから、光受信部を表示パネル用基板に取り付ける必要がなく、表示パネルの表示面の前方への厚みの増大、および表示パネル用基板の大型化を防止することができる。
【図面の簡単な説明】
【００３１】
【図１】図１（ａ）は、本発明の実施の形態における電子機器としての携帯電話を示す平面図である。図１（ｂ）は、図１（ａ）に示した携帯電話の内部に配置されている表示装置モジュールの構造を示す側面で図である。
【図２】図１に示した光配線モジュールの構成を示す説明図である。
【図３】図２に示した光送信部および光受信部の構成を詳細に示した光配線モジュールのブロック図である。
【図４】本発明の他の実施の形態における表示装置モジュールの構造を示す側面図である。
【図５】図４に示した表示装置モジュールの他の例を示すものであって、光送信部と光送信部側コネクタとがＦＰＣの上面に並べて配置されている構成の表示装置モジュールを示す側面図である。
【図６】図４に示した表示装置モジュールとは光受信部の配置状態が異なる表示装置モジュールの構造を示す側面図である。
【図７】図４に示した表示装置モジュールにおいて補強板を設けた例を示す側面図である。
【図８】図４に示した表示装置モジュールにおいて他の補強板を設けた例を示す側面図である。
【図９】図４に示した表示装置モジュールにおいてさらに他の補強板を設けた例を示す側面図である。
【図１０】本発明のさらに他の実施の形態における表示装置モジュールの構造を示す側面図である。
【図１１】本発明のさらに他の実施の形態における表示装置モジュールの構造を示す側面図である。
【図１２】本発明のさらに他の実施の形態における表示装置モジュールの構造を示す側面図である。
【図１３】本発明のさらに他の実施の形態における表示装置モジュールの構造を示す側面図である。
【図１４】本発明のさらに他の実施の形態における表示装置モジュールの構造を示す平面図である。
【図１５】図１５（ａ）は、本発明のさらに他の実施の形態の表示装置モジュールにおける、ＦＰＣと光伝送媒体との配置状態の一例を示す説明図、図１５（ｂ）は、図１５（ａ）に示した状態とはＦＰＣの配置状態が異なる表示装置モジュールの例を示す説明図、図１５（ｃ）は、図１５（ｂ）に示した状態とは光配線モジュールの配置状態が異なる表示装置モジュールの例を示す説明図、図１５（ｄ）は、図１５（ｃ）に示した状態とは光配線モジュールの配置状態が異なる表示装置モジュールの例を示す説明図、図１５（ｅ）は、図１５（ａ）に示した状態とは光配線モジュールの配置状態が異なる表示装置モジュールの例を示す説明図、図１５（ｆ）は、ＦＰＣに対する光配線モジュールの光送信部および光受信部の接続例を説明する表示装置モジュールの説明図である。
【図１６】図１６（ａ）は、本発明のさらに他の実施の形態における、光伝送媒体が表示パネル用基板のデータ入力側端部と平行に延びるように配置されている表示装置モジュールを示す平面図、図１６（ｂ）は、図１６（ａ）に示した表示装置モジュールの正面図、図１６（ｃ）は、図１６（ａ）に示した表示装置モジュールの側面図である。
【図１７】図１７（ａ）は、本発明のさらに他の実施の形態における、光伝送媒体が表示パネル用基板のデータ入力側端部と平行に延び、その後、データ入力側端部と垂直となるように延びている表示装置モジュールを示す平面図、図１７（ｂ）は、図１７（ａ）に示した表示装置モジュールの側面図である。
【図１８】本発明のさらに他の実施の形態における、光伝送媒体が表示パネル用基板のデータ入力側端部と平行に延び、その後、データ入力側端部と垂直となるように延びている表示装置モジュールを示す平面図である。
【図１９】本発明のさらに他の実施の形態の表示装置モジュールが備える光配線モジュールの構成を示す説明図である。
【図２０】図１９に示した光送信部および光受信部の構成を詳細に示した光配線モジュールのブロック図である。
【図２１】本発明のさらに他の実施の形態の表示装置モジュールが備える光配線モジュールの構成を示す説明図である。
【図２２】図２１に示した光送信部および光受信部の構成を詳細に示した光配線モジュールのブロック図である。
【図２３】本発明のさらに他の実施の形態の表示装置モジュールが備える光配線モジュールの構成を示す説明図である。
【図２４】図２３に示した光送信部および光受信部の構成を詳細に示した光配線モジュールのブロック図である。
【図２５】本発明のさらに他の実施の形態の表示装置モジュールが備える光配線モジュールの構成を示す説明図である。
【図２６】図２５に示した光送信部および光受信部の構成を詳細に示した光配線モジュールのブロック図である。
【発明を実施するための形態】
【００３２】
〔実施の形態１〕
本発明の実施の形態を図面に基づいて以下に説明する。
図１（ａ）および図１（ｂ）に示すように、本実施の形態の表示装置モジュール２は、電子機器としての携帯電話１に備えられている。図１（ａ）は、本発明の実施の形態における電子機器としての携帯電話１を示す平面図である。図１（ｂ）は、携帯電話１の内部に配置されている表示装置モジュール２の構造を示す側面図である。
【００３３】
図１（ａ）および図１（ｂ）に示すように、携帯電話１は、携帯電話筐体部１１を有し、携帯電話筐体部１１の内部に表示装置モジュール２を備えている。
【００３４】
表示装置モジュール２は、表示パネル２１を備えている。表示パネル２１は、例えば液晶パネル、あるいは有機ＥＬパネルであり、種類は特に限定されない。
【００３５】
表示パネル２１は、例えばガラス板からなる表示パネル用基板２２の上面に設けられている。表示パネル２１および表示パネル用基板２２は、携帯電話１の形状に合わせて長方形に形成されている。表示パネル２１の長手方向の長さは、表示パネル用基板２２の長手方向の長さよりも短く、表示パネル２１は表示パネル用基板２２の長手方向の一端部を基準として設けられている。したがって、表示パネル用基板２２の長手方向における他端部側の上面には、表示パネル２１が存在しない空き領域が存在する。この空き領域には、表示パネル２１を駆動するディスプレイドライバ２３が配置されている。
【００３６】
表示パネル用基板２２の下方には、例えば表示パネル用基板２２と平行な状態で機器内基板２４が設けられている。この機器内基板２４には、ＩＣや受動素子などの種々の素子２５が設けられている。
【００３７】
機器内基板２４の上面には、機器内基板側コネクタ２６が設けられ、この機器内基板側コネクタ２６の上には、光送信部側コネクタ２７および光送信部２８が順次上方に設けられている。すなわち、機器内基板側コネクタ２６は機器内基板２４と接続され、光送信部側コネクタ２７は機器内基板側コネクタ２６と接続され、光送信部２８は光送信部側コネクタ２７と接続されている。上記機器内基板側コネクタ２６および光送信部側コネクタ２７は、例えばＢｔｏＢ（Board to Board）接続、あるいはＺＩＦ（Zero Insertion Force socket）接続を行うものである。なお、本実施の形態において、光送信部２８の位置は表示パネル用基板２２の下方の位置である。
【００３８】
一方、表示パネル用基板２２の長手方向の上記他端部の近傍における下方には、光受信部２９が配置されている。表示パネル用基板２２の上記他端部は、ＦＰＣ（配線用部材）３０の接続部であり、データ入力側端縁部２２ａとなっている。
【００３９】
光受信部２９は、光受信部２９と表示パネル用基板２２とを接続するＦＰＣ（Flexible Printed Circuits）３０の上面に取り付けられている。光受信部２９はこの取付け位置においてＦＰＣ３０と接続されている。
【００４０】
ＦＰＣ３０における表示パネル用基板２２側の端部は、表示パネル用基板２２のデータ入力側端縁部２２ａの上面に配置され、データ入力側端縁部２２ａに形成されている入力側電極（図示せず）とコネクタを介さず直接接続されている。具体的には、ＦＰＣ３０と表示パネル用基板２２とは、表示パネル用基板２２のデータ入力側端縁部２２ａにおける入力側電極と、導電層としてのＡＣＦ（Anisotropic Conductive Film：異方性導電フィルム）により接続されている。これにより、光受信部２９はＦＰＣ３０を介して表示パネル用基板２２と接続されている。
【００４１】
本実施の形態において、ＦＰＣ３０は、表示パネル用基板２２のデータ入力側端縁部２２ａから、表示パネル用基板２２の裏面に回り込んだ逆方向延設部（延設部）３７を有する。逆方向延設部３７は少なくとも光受信部２９を載置し得る長さを有する。ＦＰＣ３０は、データ入力側端縁部２２ａから少なくとも逆方向延設部３７の位置まで延びている。逆方向延設部３７の上面には光受信部２９が取り付けられ、この位置において光受信部２９はＦＰＣ３０と接続されている。
【００４２】
光送信部２８と光受信部２９とは、光伝送媒体３１により接続されている。これら、光送信部２８、光受信部２９および光伝送媒体３１は、光配線モジュール３２を構成している。光配線モジュール３２では、光伝送媒体３１の一端部は、光送信部２８における光受信部２９と対向する側の面において光送信部２８と接続されている。一方、光伝送媒体３１の他端部は、光受信部２９における光送信部２８と対向する側の面において光受信部２９と接続されている。したがって、光伝送媒体３１は、光送信部２８と光受信部２９との間において折れ曲がることなく、これら両者に接続されている。
【００４３】
なお、機器内基板２４から表示パネル用基板２２へのデータの伝送を、光伝送および電気伝送の両方により並行して行う場合、表示パネル用基板２２から延びたＦＰＣ３０は、光受信部２９の位置にて途切れることなく、光送信部側コネクタ２７の位置まで延びていてもよい（図１（ｂ）中には二点鎖線にて示す）。
【００４４】
この場合、ＦＰＣ３０は、表示パネル用基板２２のデータ入力側端縁部２２ａから、表示パネル２１側とは反対側の第１の方向へ延び、光受信部２９の側方位置を経由して、上記第１の方向とは反対方向の第２の方向へ延び、光受信部２９の下面を経由して、表示パネル用基板２２の下方における光送信部側コネクタ２７の位置まで達している。ＦＰＣ３０の光送信部側コネクタ２７側の端部は、光送信部側コネクタ２７と光送信部２８との間に配置され、光送信部側コネクタ２７と接続される。
【００４５】
次に、上記の光配線モジュール３２についてさらに詳細に説明する。図２は図１に示した光配線モジュール３２の構成を示す説明図である。図３は、図２に示した光送信部２８および光受信部２９の構成を詳細に示した光配線モジュール３２のブロック図である。
【００４６】
図２に示すように、光配線モジュール３２では、機器内基板２４のＣＰＵ３３から出力された電気信号（表示パネル用データ）を光送信部２８が光信号に変換して出力する。この光信号は、光伝送媒体３１を介して光受信部２９に入力され、光受信部２９において電気信号に変換された後、ＦＰＣ３０を介して表示パネル用基板２２に出力される。なお、図２において、機器内基板２４はＣＰＵ側基板と表現してもよい。
【００４７】
図３に示すように、光送信部２８は、Ｉ／Ｆ回路４１、ドライバ４２および発光素子４３を備えている。Ｉ／Ｆ回路４１およびドライバ４２は、送信ＩＣによって構成されている。Ｉ／Ｆ回路４１はディスプレイ用の規格の信号をドライバ４２用の信号に変換する。ドライバ４２はＩ／Ｆ回路４１から入力された電気信号に基づいて、発光素子４３を駆動する。ドライバ４２は、例えば発光駆動用のＩＣ（Integrated Circuit）によって構成されていてもよい。発光素子４３は、ドライバ４２に駆動されて光信号を出力する。発光素子４３は、例えばＶＣＳＥＬ（Vertical Cavity-Surface Emitting Laser）などの発光素子によって構成される。発光素子４３から発せられた光は、光信号として光伝送媒体３１の光入射側端部に照射される。
【００４８】
光受信部２９は、受光素子４４、アンプ４５およびＩ／Ｆ回路４６を備えている。アンプ４５およびＩ／Ｆ回路４６は、受信ＩＣによって構成されている。受光素子４４は、光伝送媒体３１の光出射側端部から出射された光信号としての光を受光し、光電変換によって電気信号を出力する。受光素子４４は、例えばＰＤ（Photo-Diode）などの受光素子によって構成される。アンプ４５は、受光素子４４から出力された電気信号を増幅して外部に出力する。アンプ４５は、例えば増幅用のＩＣによって構成されていてもよい。Ｉ／Ｆ回路４６はアンプ４５から出力された電気信号をディスプレイ用の規格の信号に変換する。
【００４９】
本実施の形態の表示装置モジュール２では、光受信部２９は、表示パネル用基板２２のデータ入力側端縁部２２ａの近傍、すなわち表示パネル用基板２２の下方においてデータ入力側端縁部２２ａに沿う位置に配置されている。したがって、表示パネル２１における表示面の前方への厚みの増大を招来しない。
【００５０】
また、光受信部２９は、光受信部２９と表示パネル用基板２２とを接続するＦＰＣ３０に取り付けられているので、表示パネル２１の大型化を招来しない。したがって、表示装置モジュール２の構成は、表示パネル用基板２２の下方に光受信部２９を配置するスペースが存在する場合に有効である。
【００５１】
また、機器内基板２４から表示パネル用基板２２に伝送される表示パネル２１用のデータは、光配線モジュール３２により、機器内基板２４から表示パネル用基板２２の近傍までの長い距離を光伝送され、その後、光受信部２９と表示パネル用基板２２との間の短い距離を電気伝送される。さらに、光受信部２９から表示パネル用基板２２までの電気伝送経路においては、コネクタ類が存在せず、接続点が非常に少なくなっている。したがって、データの波形品質の劣化やノイズの増大を十分に抑制することができる。また、ＦＰＣ３０として単層のもの、例えばマイクロストリップ構造のＦＰＣを使用することができる。
【００５２】
また、ＦＰＣ３０の耐ノイズ特性、低ＥＭＩ（Electro Magnetic Interface）特性を実現する場合にストリップ構造のＦＰＣを採用した場合、ＦＰＣ３０の屈曲特性が極端に悪くなる。しかしながら、表示装置モジュール２の構成では、大きな屈曲半径を必要としない。また、ＦＰＣ３０は高屈曲しているものの、光伝送媒体３１は屈曲させなくてもよい。この場合、光伝送媒体３１の光伝送損失が低減され、結果として低消費電力化が可能になる。
【００５３】
〔実施の形態２〕
本発明の他の実施の形態を図面に基づいて以下に説明する。
本実施の形態の表示装置モジュール５１は、図４に示す構成となっている。図４は、表示装置モジュール５１の構造を示す側面図である。
【００５４】
表示装置モジュール５１では、光受信部２９は、上面が接着剤により表示パネル用基板２２の下面に固定されている。表示装置モジュール５１における他の構成は、表示装置モジュール２と同様である。
【００５５】
表示装置モジュール５１では、光受信部２９は、上面が接着剤により表示パネル用基板２２の下面に固定されているので、安定した配置状態となっている。
【００５６】
なお、図４に示した光配線モジュール２および他の光配線モジュールにおいて、光送信部２８および光送信部側コネクタ２７は図５に示すように配置されていてもよい。図５は、図４に示した表示装置モジュール２の他の例を示すものであって、光送信部２８と光送信部側コネクタ２７とがＦＰＣ３０の上面に並べて配置されている構成の表示装置モジュール２を示す側面図である。
【００５７】
図５に示す表示装置モジュール５１では、光送信部２８と光送信部側コネクタ２７とがＦＰＣ３０の上面に並べて配置され、これら両者は、ＦＰＣ３０によって接続されている。この例では、光送信部側コネクタ２７がＦＰＣ３０の上面に配置されていることから、機器内基板２４は光送信部側コネクタ２７の上方に配置され、光送信部側コネクタ２７は機器内基板２４の裏面に設けられる機器内基板側コネクタ２６と接続される。
【００５８】
また、表示装置モジュール５１において、光受信部２９は、上面が表示パネル用基板２２の下面に固定されていることが必須ではない。すなわち、図６に示すように、光受信部２９の上面と表示パネル用基板２２の下面との間に隙間が存在していてもよい。
【００５９】
また、表示装置モジュール５１において、図７〜図９に示すように、ＦＰＣ３０と光受信部２９との接続を補強する補強板（例えば配線用部材よりも硬い部材）３４が設けられていてもよい。図７は、図４に示した表示装置モジュール５１において補強板３４を設けた例を示す側面図である。図８は、図４に示した表示装置モジュール５１において他の補強板３４を設けた例を示す側面図である。図８は、図４に示した表示装置モジュール５１においてさらに他の補強板３４を設けた例を示す側面図である。
【００６０】
補強板（補強部材、金属部材）３４は、例えば樹脂あるいは金属にて形成されている。図７に示す例において、補強板３４は、光受信部２９の下面の面積に対応する面積を有している。詳細には、補強板３４の配置領域は、ＦＰＣ３０における光受信部２９が取り付けられている面の反対側の面における光受信部２９の取り付け領域に対応する領域である。補強板３４は、例えば接着剤により、ＦＰＣ３０に接着されている。接着方法は、例えば、熱硬化の接着剤、圧着硬化の接着剤、あるいは両面に接着剤が着いているテープを使用する方法が可能である。
【００６１】
また、補強板３４は、図８に示すように、光受信部２９の下面の面積よりも広い面積を有するものであってよい。すなわち、補強板３４は、光受信部２９の下面と平行に、光受信部２９の下面から表示パネル２１側とは反対側の方向へ突出するように延びる拡張部３４ａを有していてもよい。具体的には、補強板３４は、ＦＰＣ３０に接着されず、ＦＰＣ３０の光受信部２９の位置から表示パネル用基板２２のデータ入力側端縁部２２ａに向う方向に拡張されている拡張部３４ａを有する。補強板３４を上記のように形成することは、光受信部２９から表示パネル用基板２２に延びるＦＰＣ３０と光受信部２９から輻射されるノイズを遮蔽する上において有効である。これにより、光受信部２９の下方に配置が想定されるノイズ耐性の弱いアンテナや無線用ＩＣなどに対して、低ＥＭＩを実現することができる。また、補強板３４は接地されていれば、ノイズを遮断する上でさらに有効である。
【００６２】
また、補強板３４は、図９に示すように、光受信部２９の下面の面積よりも広い面積を有し、表示パネル用基板２２のデータ入力側端縁部２２ａから光受信部２９の下面に至るＦＰＣ３０を覆うように形成されているものであってもよい。図９に示す例において、補強板３４は、縦断面がコ字形に形成され、表示パネル用基板２２のデータ入力側端縁部２２ａから光受信部２９の下面に至るＦＰＣ３０を覆うようになっている。補強板３４を上記のように形成することは、光受信部２９から表示パネル用基板２２に延びるＦＰＣ３０から輻射されるノイズを遮蔽する上において、さらに有効である。
【００６３】
〔実施の形態３〕
本発明のさらに他の実施の形態を図面に基づいて以下に説明する。
本実施の形態の表示装置モジュール６１は、図１０に示す構成となっている。図１０は、表示装置モジュール６１の構造を示す側面図である。
【００６４】
表示装置モジュール６１では、図１０に示すように、ＦＰＣ３０は、少なくとも、表示パネル用基板２２のデータ入力側端縁部２２ａから、表示パネル用基板２２の裏面に回り込んだ逆方向延設部３７の位置まで延びている。逆方向延設部３７の下には光受信部２９が取り付けられ、この位置において光受信部２９はＦＰＣ３０と接続されている。光受信部２９は、表示パネル用基板２２の下面において、データ入力側端縁部２２ａに沿う位置に、データ入力側端縁部２２ａからはみ出さないように配置されている。この場合、光受信部２９は携帯電話１の空きスペースを利用して配置することができる。
【００６５】
したがって、ＦＰＣ３０は、表示パネル用基板２２のデータ入力側端縁部２２ａから表示パネル２１側とは反対側の第１の方向へ延び、表示パネル用基板２２の側方を経由して、上記第１の方向とは反対方向の第２の方向へ延び、上記第２の方向側の端部（逆方向延設部３７）が光受信部２９の上面において光受信部２９と接続されている。
【００６６】
図１０に示す表示装置モジュール６１の構成は、光送信部２８が光送信部側コネクタ２７の下に配置されていることから、表示パネル用基板２２の下方かつ光送信部側コネクタ２７の上方に、機器内基板２４が配置されることを想定したものである。この場合、光受信部２９から光送信部側コネクタ２７に延びる光伝送媒体３１は、光受信部２９における光送信部２８と対向する側の面とは反対側の面から、光送信部側コネクタ２７に向かって延びていてもよい（図１０に一部を一点鎖線にて示す）。表示装置モジュール６１における他の構成は、表示装置モジュール２と同様である。
【００６７】
本実施の形態の表示装置モジュール６１では、光受信部２９は、表示パネル用基板２２のデータ入力側端縁部２２ａの近傍、すなわち表示パネル用基板２２の下面においてデータ入力側端縁部２２ａに沿う位置に配置されている。したがって、表示パネル２１における表示面の前方への厚みの増大を招来しない。
【００６８】
また、光受信部２９は、光受信部２９と表示パネル用基板２２とを接続するＦＰＣ３０に取り付けられているので、表示パネル２１の大型化を招来しない。特に、表示装置モジュール６１は、光受信部２９が表示パネル用基板２２の下面においてデータ入力側端縁部２２ａに沿う位置に配置されている。これにより、表示装置モジュール６１では、光受信部２９が表示パネル用基板２２におけるデータ入力側端縁部２２ａの側方に配置されている表示装置モジュール２と比較しても、携帯電話１に組み込む場合に要する、表示パネル２１の表示面と平行な方向の面積を縮小することができる。したがって、表示装置モジュール６１の構成についても、表示パネル用基板２２の下方に光受信部２９を配置するスペースが存在する場合に有効である。
【００６９】
さらに、本実施の形態の表示装置モジュール６１においても、機器内基板２４から表示パネル用基板２２に伝送される表示パネル２１用のデータは、光配線モジュール３２により、機器内基板２４から表示パネル用基板２２の近傍までの長い距離を光伝送され、その後、光受信部２９と表示パネル用基板２２との間の短い距離を電気伝送される。また、光受信部２９から表示パネル用基板２２までの電気伝送経路において、接続点が非常に少なくなっている。したがって、データの波形品質の劣化やノイズの増大を十分に抑制することができる。
【００７０】
また、表示装置モジュール６１においても、ＦＰＣ３０と光受信部２９との接続を補強する補強板３４が設けられていてもよい。
【００７１】
また、光受信部２９の筐体を金属部材で形成すれば、コンパクトな構成にてノイズを遮蔽することができる。この金属部材の筐体は接地されていれば、さらにノイズを遮断するのに有効である。
【００７２】
〔実施の形態４〕
本発明のさらに他の実施の形態を図面に基づいて以下に説明する。
本実施の形態の表示装置モジュール７１は、図１１に示す構成となっている。図１１は、表示装置モジュール７１の構造を示す側面図である。
【００７３】
表示装置モジュール７１では、図１１に示すように、光受信部２９は、表示パネル用基板２２におけるデータ入力側端縁部２２ａの側方の位置に表示パネル用基板２２から離れて配置されている。この光受信部２９の位置は、表示パネル用基板２２の近傍位置であり、データ入力側端縁部２２ａに対して、表示パネル２１側とは反対側の位置である。また、光受信部２９の上面における表示パネル２１の表示面と垂直な方向の高さ位置は、表示パネル用基板２２の上面の位置よりも低い位置となっている。この場合、光受信部２９は携帯電話１の空きスペースを利用して配置することができる。
【００７４】
ＦＰＣ３０は、表示パネル用基板２２のデータ入力側端縁部２２ａから、表示パネル２１側とは反対側の第１の方向へ延び、光受信部２９の上方位置、および光受信部２９の側方位置を経由して、上記第１の方向とは反対方向の第２の方向へ延びている。第２の方向へ延びるＦＰＣ３０は、少なくとも光受信部２９の下面の位置、すなわち逆方向延設部３７まで達し、この逆方向延設部３７において光受信部２９と接続されている。すなわち、光受信部２９は、表示パネル用基板２２におけるデータ入力側端縁部２２ａの側方の位置において、ＦＰＣ３０の上面に取り付けられている。表示装置モジュール７１における他の構成は、表示装置モジュール２と同様である。
【００７５】
本実施の形態の表示装置モジュール７１では、光受信部２９は、表示パネル用基板２２におけるデータ入力側端縁部２２ａの側方の位置において、上面の位置が表示パネル用基板２２の上面の位置よりも低い位置となるように配置されている。したがって、表示パネル２１における表示面の前方への厚みの増大を招来しない。
【００７６】
また、光受信部２９は、光受信部２９と表示パネル用基板２２とを接続するＦＰＣ３０に取り付けられているので、表示パネル２１の大型化を招来しない。
【００７７】
さらに、本実施の形態の表示装置モジュール７１においても、機器内基板２４から表示パネル用基板２２に伝送される表示パネル２１用のデータは、光配線モジュール３２により、機器内基板２４から表示パネル用基板２２の近傍までの長い距離を光伝送され、その後、光受信部２９と表示パネル用基板２２との間の短い距離を電気伝送される。また、光受信部２９から表示パネル用基板２２までの電気伝送経路において、接続点が非常に少なくなっている。したがって、データの波形品質の劣化やノイズの増大を十分に抑制することができる。また、ＦＰＣ３０として単層のものを使用することができる。
【００７８】
また、表示装置モジュール７１においても、ＦＰＣ３０と光受信部２９との接続を補強する、図７〜図９に示したような補強板３４が設けられていてもよい。
【００７９】
また、光受信部２９の筐体を金属部材で形成すれば、コンパクトな構成にてノイズを遮蔽することができる。この金属部材の筐体は接地されていれば、さらにノイズを遮断するのに有効である。
【００８０】
〔実施の形態５〕
本発明のさらに他の実施の形態を図面に基づいて以下に説明する。
本実施の形態の表示装置モジュール８１は、図１２に示す構成となっている。図１２は、表示装置モジュール８１の構造を示す側面図である。
【００８１】
表示装置モジュール８１では、図１２に示すように、光受信部２９は、表示パネル用基板２２におけるデータ入力側端縁部２２ａの側方の位置に表示パネル用基板２２から離れて配置されている。この光受信部２９の位置は、表示パネル用基板２２の近傍位置であり、データ入力側端縁部２２ａに対して、表示パネル２１側とは反対側の位置である。また、光受信部２９の上面における表示パネル２１の表示面と垂直な方向の高さ位置は、表示パネル用基板２２の下面の位置以下の位置、例えば表示パネル用基板２２の下面の位置と同じ位置である。この場合、光受信部２９は携帯電話１の空きスペースを利用して配置することができる。
【００８２】
ＦＰＣ３０は、表示パネル用基板２２のデータ入力側端縁部２２ａから、表示パネル２１側とは反対側の第１の方向へ延び、光受信部２９の上方位置を経由した後、折り返して上記第１の方向とは反対方向の第２の方向へ延びている。ＦＰＣ３０は、第１の方向へ延びて光受信部２９の上面に達した位置において、光受信部２９と接続されている。すなわち、光受信部２９は、表示パネル用基板２２におけるデータ入力側端縁部２２ａの側方の位置において、ＦＰＣ３０の逆方向延設部３７の下面に取り付けられている。
【００８３】
図１２に示す表示装置モジュール８１の構成は、光送信部２８が光送信部側コネクタ２７の下に配置されていることから、表示パネル用基板２２の下方かつ光送信部側コネクタ２７の上方に、機器内基板２４が配置されることを想定したものである。表示装置モジュール８１における他の構成は、表示装置モジュール２と同様である。
【００８４】
本実施の形態の表示装置モジュール８１では、光受信部２９は、表示パネル用基板２２におけるデータ入力側端縁部２２ａの側方の位置において、上面の位置が表示パネル２１の上面の位置よりも低い位置、例えば表示パネル用基板２２の下面の位置と同じ位置となるように配置されている。したがって、表示パネル２１における表示面の前方への厚みの増大を招来しない。
【００８５】
また、光受信部２９は、光受信部２９と表示パネル用基板２２とを接続するＦＰＣ３０に取り付けられているので、表示パネル２１の大型化を招来しない。
【００８６】
さらに、本実施の形態の表示装置モジュール８１においても、機器内基板２４から表示パネル用基板２２に伝送される表示パネル２１用のデータは、光配線モジュール３２により、機器内基板２４から表示パネル用基板２２の近傍までの長い距離を光伝送され、その後、光受信部２９と表示パネル用基板２２との間の短い距離を電気伝送される。また、光受信部２９から表示パネル用基板２２までの電気伝送経路において、接続点が非常に少なくなっている。したがって、データの波形品質の劣化やノイズの増大を十分に抑制することができる。また、ＦＰＣ３０として単層のものを使用することができる。
【００８７】
また、表示装置モジュール８１においても、ＦＰＣ３０と光受信部２９との接続を補強する、例えば図７に示したような補強板３４が設けられていてもよい。
【００８８】
〔実施の形態６〕
本発明のさらに他の実施の形態を図面に基づいて以下に説明する。
本実施の形態の表示装置モジュール９１は、図１３に示す構成となっている。図１３は、表示装置モジュール９１の構造を示す側面図である。
【００８９】
表示装置モジュール９１では、図１３に示すように、光受信部２９は、表示パネル用基板２２におけるデータ入力側端縁部２２ａの側方の位置に表示パネル用基板２２から離れて配置されている。この光受信部２９の位置は、表示パネル用基板２２の近傍位置であり、データ入力側端縁部２２ａに対して、表示パネル２１側とは反対側の位置である。また、光受信部２９の上面における表示パネル２１の表示面と垂直な方向の高さ位置は、表示パネル２１の上面の位置以下の位置、例えば表示パネル２１の上面の位置と同じ位置である。この場合、光受信部２９は携帯電話１の空きスペースを利用して配置することができる。
【００９０】
ＦＰＣ３０は、表示パネル用基板２２のデータ入力側端縁部２２ａから、データ入力側端縁部２２ａと光受信部２９との間を下方へ延びている。次に、表示パネル２１側とは反対側の第１の方向へ延び、光受信部２９の下面を経由した後、折り返して上記第１の方向とは反対方向の第２の方向へ延びている。ＦＰＣ３０は、第１の方向へ延びて光受信部２９の下面に達した位置である低位置延設部３８において、光受信部２９と接続されている。すなわち、光受信部２９は、表示パネル用基板２２におけるデータ入力側端縁部２２ａの側方の位置において、ＦＰＣ３０の低位置延設部３８の上面に取り付けられている。
【００９１】
ＦＰＣ３０が上記のように配置されていることから、光送信部２８から光受信部２９に延びる光伝送媒体３１は、光受信部２９における表示パネル用基板２２側とは反対側の側面において、光受信部２９と接続されている。
【００９２】
図１３に示す表示装置モジュール９１の構成は、光送信部２８が光送信部側コネクタ２７の下に配置されていることから、表示パネル用基板２２の下方かつ光送信部側コネクタ２７の上方に、機器内基板２４が配置されることを想定したものである。表示装置モジュール９１における他の構成は、表示装置モジュール２と同様である。
【００９３】
本実施の形態の表示装置モジュール９１では、光受信部２９は、表示パネル用基板２２におけるデータ入力側端縁部２２ａの側方の位置において、上面の位置が表示パネル２１の位置以下の位置に配置されている。したがって、表示パネル２１における表示面の前方への厚みの増大を招来しない。
【００９４】
また、光受信部２９は、光受信部２９と表示パネル用基板２２とを接続するＦＰＣ３０に取り付けられているので、表示パネル２１の大型化を招来しない。
【００９５】
さらに、本実施の形態の表示装置モジュール９１においても、機器内基板２４から表示パネル用基板２２に伝送される表示パネル２１用のデータは、光配線モジュール３２により、機器内基板２４から表示パネル用基板２２の近傍までの長い距離を光伝送され、その後、光受信部２９と表示パネル用基板２２との間の短い距離を電気伝送される。また、光受信部２９から表示パネル用基板２２までの電気伝送経路において、接続点が非常に少なくなっている。したがって、データの波形品質の劣化やノイズの増大を十分に抑制することができる。また、ＦＰＣ３０として単層のものを使用することができる。
【００９６】
また、ＦＰＣ３０に対して、光伝送媒体３１の曲率半径は大きくでき、これによって光伝送損失を低減でき、結果として低消費電力が可能になる。
【００９７】
また、表示装置モジュール９１においても、ＦＰＣ３０と光受信部２９との接続を補強する、例えば図７に示したような補強板３４が設けられていてもよい。
【００９８】
〔実施の形態７〕
本発明のさらに他の実施の形態を図面に基づいて以下に説明する。
本実施の形態の表示装置モジュール１０１は、図１４に示す構成となっている。図１４は、表示装置モジュール１０１の構造を示す平面図である。
【００９９】
表示装置モジュール１０１において、光受信部２９は、他の表示装置モジュールと同様、表示パネル用基板２２のデータ入力側端縁部２２ａの近傍において、ＦＰＣ３０に取り付けられている。図１４は、ＦＰＣ３０が折り曲げられる前の状態を示している。
【０１００】
表示装置モジュール１０１が携帯電話１に組み込まれる場合、光送信部２８は表示パネル用基板２２の下方位置に配置される。したがって、図１４に示した表示装置モジュール１０１では、ＦＰＣ３０が折り曲げ位置４８から表示パネル用基板２２の下面側に折り曲げられる。これにより、光受信部２９は、折り曲げられたＦＰＣ３０の下面に配置される。
【０１０１】
表示装置モジュール１０１は、機器内基板２４から表示パネル用基板２２までのデータ伝送において、光送信部２８から光受信部２９まで光伝送媒体３１による光伝送を行い、かつ光送信部２８の位置の光送信部側コネクタ２７から光受信部２９の位置まで、光伝送と並行して、ＦＰＣ３０による電気伝送を行う。また、光受信部２９の位置から表示パネル用基板２２（データ入力側端縁部２２ａ）までは、ＦＰＣ３０による電気伝送を行う。
【０１０２】
なお、光伝送媒体３１はＦＰＣ３０に固定されていてもよい。また、光送信部２８（光送信部側コネクタ２７）の位置から光受信部２９の位置までは、光伝送媒体３１による光伝送のみを行う構成であってもよい。この点は、他の表示装置モジュールにおいても同様である。
【０１０３】
表示装置モジュール１０１では、表示パネル用基板２２のデータ入力側端縁部２２ａにおいて、ＦＰＣ３０はデータ入力側端縁部２２ａに沿って、光受信部２９の位置の横方向に延びており、その部分に例えばフィルタ回路４９が配置されている。このように、ＦＰＣ３０には、光配線モジュール３２の構成要素だけでなく、他の部品等を適宜配置してもよい。
【０１０４】
図１５（ａ）〜図１５（ｆ）には、ＦＰＣ３０と光配線モジュール３２との種々の配置形態の例を示す。なお、図１５（ａ）〜図１５（ｆ）は、ＦＰＣ３０を折り曲げる前の状態を示している。
【０１０５】
図１５（ａ）に示す表示装置モジュールは、ＦＰＣ３０と光伝送媒体３１とが、表示パネル用基板２２のデータ入力側端縁部２２ａから表示パネル２１とは反対の方向へ直線状に配置されている。
【０１０６】
図１５（ｂ）に示す表示装置モジュールは、ＦＰＣ３０と光伝送媒体３１とが、表示パネル用基板２２のデータ入力側端縁部２２ａから表示パネル２１とは反対の方向へ直線状に配置されている。このＦＰＣ３０の部分を縦方向延設３０ａとした場合、ＦＰＣ３０は、縦方向延設部３０ａの表示パネル用基板２２側の端部において、データ入力側端縁部２２ａに沿うように延びる第１横方向延設部３０ｂを有し、縦方向延設部３０ａにおける反対側の端部において、第１横方向延設部３０ｂと平行に、同方向に延びる第２横方向延設部３０ｃを有している。
【０１０７】
図１５（ｃ）に示す表示装置モジュールは、ＦＰＣ３０が、図１５（ｂ）に示した表示装置モジュールと同じ形状となるように配置されている。光配線モジュール３２は、光受信部２９が、ＦＰＣ３０の縦方向延設部３０ａの表示パネル用基板２２側の端部に配置され、光送信部２８が第２横方向延設部３０ｃにおける縦方向延設部とは反対側の端部に配置されている。光伝送媒体３１は、ＦＰＣ３０に沿うことなく、光送信部２８と光受信部２９との間に、ほぼ直線状となるように配置されている。
【０１０８】
図１５（ｄ）に示す表示装置モジュールは、ＦＰＣ３０が、図１５（ｃ）に示した表示装置モジュールと同じ形状となるように配置され、光配線モジュール３２の光受信部２９および光送信部２８が、図１５（ｃ）に示した表示装置モジュールと同じ位置に配置されている。一方、光伝送媒体３１は、ＦＰＣ３０に沿うように、Ｌ字形に曲げて配置されている。
【０１０９】
図１５（ｅ）に示す表示装置モジュールは、ＦＰＣ３０が、図１５（ａ）に示した表示装置モジュールと同じ縦方向延設部３０ａの形状に配置されている。光配線モジュール３２の光受信部２９は、ＦＰＣ３０の表示パネル用基板２２側の端部に配置され、光送信部２８は、ＦＰＣ３０の表示パネル用基板２２側とは反対側の端部の側方に配置されている。したがって、光伝送媒体３１は、ＦＰＣ３０に沿うことなく、光送信部２８と光受信部２９との間に、ほぼ直線状となるように配置されている。
【０１１０】
なお、図１５（ｅ）に示した構成において、符号５１は、画像データおよび画像データを表示パネル２１に表示するための制御信号以外の、電源やＧＮＤなどを表示パネル用基板２２に供給するのに使用されるコネクタである。したがって、ＦＰＣ３０には、電源やＧＮＤ用の信号がながれる。また、光送信部側コネクタ２７は光送信部２８の位置に設けられる。このように、光送信部２８はＦＰＣ３０とは異なる位置に配置することも可能である。
【０１１１】
ＦＰＣ３０に光配線モジュール３２を設ける場合、光配線モジュール３２の光送信部２８および光受信部２９は、図１５（ｆ）に示すように、ＦＰＣ３０に対してＢｔｏＢ接続、ＡＣＦ接続、あるいはＺＩＦ接続することができる。
【０１１２】
また、光配線モジュール３２、すなわち光伝送媒体３１は、図１６（ａ）〜１６（ｃ）に示すように配置されていてもよい。図１６（ａ）は、光伝送媒体３１が表示パネル用基板２２のデータ入力側端縁部２２ａと平行に延びるように配置されている表示装置モジュール１１１の平面図、図１６（ｂ）は、図１６（ａ）に示した表示装置モジュール１１１の正面図、図１６（ｃ）は、図１６（ａ）に示した表示装置モジュール１１１の側面図である。なお、図１６（ａ）および図１６（ｂ）は、ＦＰＣ３０が折り曲げられる前の状態を示し、図１６（ｃ）は、ＦＰＣ３０が折り曲げられた後の状態を示している。
【０１１３】
図１６（ａ）〜１６（ｃ）に示すように、表示装置モジュール１１１では、光受信部２９は、表示パネル用基板２２のデータ入力側端縁部２２ａから表示パネル用基板２２の下面方向（第２の方向）へ折り曲げられたＦＰＣ３０の上面に取り付けられている。すなわち、光受信部２９は、データ入力側端縁部２２ａの近傍であって、データ入力側端縁部２２ａの一端部側の位置に配置されている。
【０１１４】
光伝送媒体３１は、光受信部２９からデータ入力側端縁部２２ａと平行に延びており、データ入力側端縁部２２ａの他端部側の位置に配置された光送信部２８に接続されている。この場合、光送信部２８は、例えば、光送信部側コネクタ２７および機器内基板側コネクタ２６（図１（ｂ）参照）を介して、表示パネル用基板２２の下方に配置された機器内基板２４（図示せず）と接続される。なお、データの伝送において、光伝送媒体３１による光伝送と並行して電気伝送が行われる場合、光受信部２９の位置から光送信部側コネクタ２７まで延びるＦＰＣ３０の端部は、光送信部２８と光送信部側コネクタ２７との間に配置される。
【０１１５】
また、光配線モジュール３２、すなわち光伝送媒体３１は、図１７（ａ）および図１７（ｂ）に示すように配置されていてもよい。図１７（ａ）は、光伝送媒体３１が表示パネル用基板２２のデータ入力側端縁部２２ａと平行に延び、その後、データ入力側端縁部２２ａと垂直となるように延びている表示装置モジュール１２１の平面図、図１７（ｂ）は、図１７（ａ）に示した表示装置モジュール１２１の側面図である。なお、図１７（ａ）は、ＦＰＣ３０が折り曲げられる前の状態を示し、図１７（ｂ）は、ＦＰＣ３０が折り曲げられた後の状態を示している。また、図１７（ａ）において、表示パネル用基板２２の下面に破線にて示すＦＰＣ３０および光送信部２８は、ＦＰＣ３０が折り曲げられた後の状態を示したものである。
【０１１６】
図１７（ａ）および図１７（ｂ）に示すように、表示装置モジュール１２１では、光受信部２９は、表示パネル用基板２２のデータ入力側端縁部２２ａから表示パネル用基板２２の下面方向（第２の方向）へ折り曲げられたＦＰＣ３０の上面に取り付けられている。すなわち、光受信部２９は、データ入力側端縁部２２ａの近傍であって、データ入力側端縁部２２ａの一端部側の位置に配置されている。
【０１１７】
光伝送媒体３１およびＦＰＣ３０は、光受信部２９の位置からデータ入力側端縁部２２ａと平行にデータ入力側端縁部２２ａの他端部方向に延び、その後、データ入力側端縁部２２ａと垂直となるように第２の方向へ延びている。光伝送媒体３１における第２の方向側の端部は、表示パネル用基板２２の下方位置に配置された光送信部２８と接続され、ＦＰＣ３０における第２の方向側の端部は、表示パネル用基板２２の下方位置に配置された光送信部側コネクタ２７（図４参照）と接続されている。
【０１１８】
また、光配線モジュール３２、すなわち光伝送媒体３１は、図１８に示すように配置されていてもよい。図１８は、光伝送媒体３１が表示パネル用基板２２のデータ入力側端縁部２２ａと平行に延び、その後、データ入力側端縁部２２ａと垂直となるように延びている表示装置モジュール１３１の平面図である。図１８に示した表示装置モジュール１３１の側面図は、１７（ｂ）に示した表示装置モジュール１２１のものと同様である。
【０１１９】
図１８に示すように、表示装置モジュール１３１では、光受信部２９は、表示パネル用基板２２のデータ入力側端縁部２２ａから表示パネル用基板２２の下面方向（第２の方向）へ折り曲げられたＦＰＣ３０の上面に取り付けられている。すなわち、光受信部２９は、データ入力側端縁部２２ａの近傍であって、データ入力側端縁部２２ａの一端部側の位置に配置されている。
【０１２０】
光伝送媒体３１は、光受信部２９の位置からデータ入力側端縁部２２ａと平行にデータ入力側端縁部２２ａの他端部方向に延び、その後、データ入力側端縁部２２ａと垂直となるように第２の方向へ延びている。光伝送媒体３１における第２の方向側の端部は、表示パネル用基板２２の下方位置に配置された光送信部２８と接続されている。光伝送媒体３１は、データ入力側端縁部２２ａと平行な状態からデータ入力側端縁部２２ａと垂直な状態となる部分では、９０度捻って折り返した状態となっている。なお、ＦＰＣ３０は、光伝送媒体３１とともに、光受信部２９の位置から光送信部２８の位置に設けられている光送信部側コネクタ２７の位置まで延びている構成であってもよい。
【０１２１】
〔実施の形態８〕
本発明のさらに他の実施の形態を図面に基づいて以下に説明する。
図１９は、本発明のさらに他の実施の形態の表示装置モジュールが備える光配線モジュール３２の構成を示す説明図である。図２０は、図１９に示した光送信部２８および光受信部２９の構成を詳細に示した光配線モジュール３２のブロック図である。
【０１２２】
図１９に示すように、本実施の形態の光配線モジュール３２は、データを光伝送する光伝送媒体３１とデータを電気伝送するＦＰＣ３０とが並列に設けられた構成である。光配線モジュール３２では、機器内基板２４から表示パネル用基板２２に伝送される信号のうち、第１の信号は光伝送媒体３１にて伝送され、第２の信号はＦＰＣ３０にて伝送されるようになっている。
【０１２３】
第１の信号は画像データであり、第２の信号は、画像データ以外の信号、例えば電源からの供給電力やＧＮＤ（グランド）に流れる信号である。または、第１の信号は、表示パネル用基板２２に供給される信号のうちの高速信号であり、第２の信号は、表示パネル用基板２２に供給される信号のうちの低速信号である。また、高速信号は、周波数の高い信号、あるいは伝送レートの高い信号であり、低速信号は、高速信号と比較して周波数の低い信号、あるいは伝送レートの低い信号である。また、高速信号は、表示パネル２１に表示される画像データであり、低速信号は画像データを表示パネル２１に表示するための制御信号である。
【０１２４】
図１９に示した光配線モジュール３２では、図２０に示すように、光送信部２８は、Ｉ／Ｆ回路４１、ドライバ４２および発光素子４３を備え、光受信部２９は、アンプ４５、ＣＤＲ回路４７（Clock Data Recovery）およびＩ／Ｆ回路４６を備えている。
【０１２５】
上記の構成において、光送信部２８に入力された画像信号のうちの高速信号は、光送信部２８のＩ／Ｆ回路４１、ドライバ４２および発光素子４３を経由して光信号となり、光伝送媒体３１を介して光受信部２９に入力される。光受信部２９に入力された高速信号の光信号は、受光素子４４、アンプ４５、ＣＤＲ回路４７およびＩ／Ｆ回路４６を経由して、光受信部２９から電気信号として出力され、ＦＰＣ３０を介して表示パネル用基板２２に供給される。
【０１２６】
一方、光送信部２８に入力された画像信号のうちの低速信号は、光送信部２８のＩ／Ｆ回路４１を経由し、電気信号のままＦＰＣ３０を介して光受信部２９に入力される。光受信部２９に入力された低速信号の電気信号は、Ｉ／Ｆ回路４６を経由して光受信部２９から出力され、ＦＰＣ３０を介して表示パネル用基板２２に供給される。
【０１２７】
上記の構成によれば、電気的な接続点やＦＰＣ３０の屈曲部が存在することにより劣化しやすい高速信号は、光伝送媒体３１により光伝送され、電気的な接続点やＦＰＣ３０の屈曲部が存在しても劣化し難い低速信号は、ＦＰＣ３０により伝送される。したがって、画像信号全体として、信号波形の品質の劣化やノイズの増大を抑制することができる。これにより、機器内基板２４から光受信部２９まで、光伝送媒体３１と並行としてＦＰＣ３０によりデータ伝送を行う構成において、ＦＰＣ３０の配置状態（引き回し状態）の自由度を高めることができる。
【０１２８】
図１９および図２０に示した光配線モジュール３２は、図２１および図２２に示す構成であってもよい。図２１は、本発明のさらに他の実施の形態の表示装置モジュールが備える光配線モジュール３２の構成を示す説明図である。図２２は、図２１に示した光送信部２８および光受信部２９の構成を詳細に示した光配線モジュール３２のブロック図である。
【０１２９】
図２１に示すように、本実施の形態の光配線モジュール３２は、データを光伝送媒体３１により光伝送する構成である。図２１に示した光配線モジュール３２では、図２２に示すように、光送信部２８は、Ｉ／Ｆ回路４１、ドライバ４２および発光素子４３を備え、光受信部２９は、アンプ４５、ＣＤＲ回路４７およびＩ／Ｆ回路４６を備えている。光送信部２８には、機器内基板２４から伝送用のデータとクロック信号ＣＬＫが入力される。
【０１３０】
上記の構成において、光送信部２８に入力された伝送用のデータおよびクロック信号ＣＬＫは、光送信部２８のＩ／Ｆ回路４１、ドライバ４２および発光素子４３を経由して光信号となり、光伝送媒体３１を介して光受信部２９に入力される。光受信部２９に入力された伝送用のデータは、受光素子４４、アンプ４５、ＣＤＲ回路４７およびＩ／Ｆ回路４６を経由して、光受信部２９から電気信号として出力され、クロック信号ＣＬＫは、受光素子４４、アンプ４５、ＣＤＲ４７およびＩ／Ｆ回路４６を経由して、光受信部２９から電気信号として出力される。これら、伝送用のデータおよびクロック信号ＣＬＫは、ＦＰＣ３０を介して表示パネル用基板２２に供給される。
【０１３１】
上記の構成によれば、光受信部２９はＣＤＲ回路４７によるＣＤＲ（Clock Data Recovery）機能を備えている。したがって、光受信部２９から出力される伝送用のデータ（表示パネル２１用のデータ）は、波形の劣化のない良好なものとなる。したがって、光受信部２９からのデータを表示パネル用基板２２に供給するＦＰＣ３０において多少の信号劣化が生じた場合であっても、表示パネル用基板２２に供給されるデータは波形の劣化が少なく良好な状態を維持することができる。これにより、光受信部２９と表示パネル用基板２２との間のＦＰＣ３０についての配線状態の制約を緩和することができる。
【０１３２】
図１９および図２０に示した光配線モジュール３２は、さらに図２３および図２４に示す構成であってもよい。図２３は、本発明のさらに他の実施の形態の表示装置モジュールが備える光配線モジュール３２の構成を示す説明図である。図２４は、図２３に示した光送信部２８および光受信部２９の構成を詳細に示した光配線モジュール３２のブロック図である。
【０１３３】
図２３に示すように、本実施の形態の光配線モジュール３２は、データを光伝送媒体３１により光伝送する構成である。この場合の伝送用データは、図１９および図２０に示した画像信号の高速信号および低速信号である。すなわち、表示装置モジュールにおいて、機器内基板２４から光受信部２９への画像信号の高速信号および低速信号の伝送は、本実施の形態の光配線モジュール３２のように、光伝送媒体３１による光伝送のみにより行う構成であってもよい。
【０１３４】
図１９および図２０に示した光配線モジュール３２は、さらに図２５および図２６に示す構成であってもよい。図２５は、本発明のさらに他の実施の形態の表示装置モジュールが備える光配線モジュール３２の構成を示す説明図である。図２６は、図２５に示した光送信部２８および光受信部２９の構成を詳細に示した光配線モジュール３２のブロック図である。
【０１３５】
図２５に示すように、表示パネル用基板２２上の表示パネル２１の上にはタッチパネル３５が設けられている。本実施の形態の光配線モジュール３２は、データを光伝送媒体３１により光伝送する構成であり、光送信部２８と光受信部２９との間において、表示パネル２１用の画像信号およびタッチパネル用信号を光伝送する。光配線モジュール３２はこのような構成であってもよい。
【０１３６】
また、以上の実施の形態においては、各表示装置モジュールが組み込まれる電子機器として、携帯電話１を例に説明した。しかしながら、電子機器は、その他、例えばノートＰＣやタブレット型携帯端末装置であってもよい。また、携帯電話１としても、クラムシェルタイプ、スライドタイプあるいはバータイプのもの、またはスマートフォンであってもよい。
【０１３７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【０１３８】
１    携帯電話（電子機器）
２    表示装置モジュール
２１    表示パネル
２２    表示パネル用基板
２３    ディスプレイドライバ
２４    機器内基板
２６    機器内基板側コネクタ
２７    光送信部側コネクタ
２８    光送信部
２９    光受信部
３０    ＦＰＣ（配線用部材）
３１    光伝送媒体
３２    光配線モジュール
３４    補強板（補強部材、金属部材）
３４ａ  拡張部
３７    逆方向延設部（延設部）
３８    低位置延設部
51,61,71.81,91,101,111,121,131    表示装置モジュール
【図１】
2013109109.tif 000003
【図２】
2013109109.tif 000004
【図３】
2013109109.tif 000005
【図４】
2013109109.tif 000006
【図５】
2013109109.tif 000007
【図６】
2013109109.tif 000008
【図７】
2013109109.tif 000009
【図８】
2013109109.tif 000010
【図９】
2013109109.tif 000011
【図１０】
2013109109.tif 000012
【図１１】
2013109109.tif 000013
【図１２】
2013109109.tif 000014
【図１３】
2013109109.tif 000015
【図１４】
2013109109.tif 000016
【図１５】
2013109109.tif 000017
【図１６】
2013109109.tif 000018
【図１７】
2013109109.tif 000019
【図１８】
2013109109.tif 000020
【図１９】
2013109109.tif 000021
【図２０】
2013109109.tif 000022
【図２１】
2013109109.tif 000023
【図２２】
2013109109.tif 000024
【図２３】
2013109109.tif 000025
【図２４】
2013109109.tif 000026
【図２５】
2013109109.tif 000027
【図２６】
2013109109.tif 000028